(57)【特許請求の範囲】
【請求項１】
拡大カメラにおいて、
開いた配向及び閉じた配向を有するディスプレイハウジングであって、該ディスプレイハウジングに配置されている旋回カメラアセンブリと、カメラと、ヒートシンクと、光源と、前記ディスプレイハウジング上に形成されている表示画面と、該表示画面に近接して配置されている一連の制御部とを有し、前記カメラは軸を有し、前記カメラ、前記ヒートシンク、及び前記光源は、前記旋回カメラアセンブリに固定される、前記ディスプレイハウジングと；
第１ヒンジによって前記ディスプレイハウジングに相互接続されている基部であって、該基部は、互いに対向する足部であって該足部同士の間には中間スペースが設けられている前記足部と、前記中間スペースに平行な画像面と、前記基部に旋回可能に接続されている下側レバーアームと、前記下側レバーアームと前記ディスプレイハウジングとに旋回可能に接続されている上側レバーアームとを有し、前記上側レバーアームは、前記ディスプレイハウジングが開いた配向及び閉じた配向間において動かされるときに前記旋回カメラアセンブリが自動的に旋回するように、前記旋回カメラアセンブリに接続されている、前記基部と；
第２ヒンジによって前記基部の下側表面に固定されているハンドルであって、前記第２ヒンジは、前記ハンドルの様々な角度位置に対するデテントを提供し、前記第１ヒンジに対して垂直であり、前記ディスプレイハウジングが前記閉じた配向のときに使用者が前記ハンドルによって前記拡大カメラを保持できるように前記基部に対する前記ハンドルの横方向の旋回を許容する、前記ハンドルとを備え；
前記基部に対して前記ディスプレイハウジングを旋回させることによって、前記画像面に対して前記カメラの前記軸が常に垂直に保たれる、拡大カメラ。
【請求項２】
拡大カメラにおいて、
開いた配向及び閉じた配向を有するディスプレイハウジングであって、該ディスプレイハウジングに配置されている旋回カメラアセンブリと、前記旋回カメラアセンブリに固定されている軸を有するカメラと、前記旋回カメラアセンブリと前記ディスプレイハウジングとに接続されているレバーアームとを有する、前記ディスプレイハウジングと；
第１ヒンジによって前記ディスプレイハウジングに相互接続されている基部であって、
下に画像面が形成される、前記基部とを備え；
前記開いた配向と前記閉じた配向との間で前記ディスプレイハウジングを旋回させることによって、前記レバーアーム及び前記旋回カメラアセンブリの回転の動きが自動的に生じ、これにより、前記旋回カメラアセンブリは、前記ディスプレイハウジングの配向にかかわらず、前記画像面に対して前記カメラの前記軸を垂直に保ち、
前記拡大カメラは、第２ヒンジによって前記基部の下側表面に固定されているハンドルをさらに備え、前記第１ヒンジと前記第２ヒンジとは、互いにほぼ垂直であり、前記ディスプレイハウジングが前記閉じた配向のときに前記ハンドルが前記基部に対して横方向に旋回することで前記拡大カメラがより容易に保持される、拡大カメラ。
【請求項３】
前記カメラはイメージセンサであり、ヒートシンクが前記イメージセンサ付近に配置される、請求項２に記載の拡大カメラ。
【請求項４】
前記ヒートシンクはアルミニウムから形成される、請求項３に記載の拡大カメラ。
【請求項５】
前記第２ヒンジは前記ハンドルの様々な角度位置に対するデテントを提供する、請求項２に記載の拡大カメラ。
【請求項６】
前記ディスプレイハウジング上に形成されている表示画面をさらに備える、請求項２に記載の拡大カメラ。
【請求項７】
前記基部は互いに対向する足部を備え、該足部同士の間にスペースが設けられ、該スペースは観察される物体を配置するのに使用される、請求項２に記載の拡大カメラ。
【請求項８】
前記旋回カメラアセンブリ上に照明を備える、請求項２に記載の拡大カメラ。
【請求項９】
前記ハンドル内に形成されているバッテリパックをさらに備える、請求項２に記載の拡大カメラ。
【発明の詳細な説明】
【技術分野】
【０００１】
本発明は、弱視の人のための拡大装置に関する。より詳細には、本発明は、様々な別々の配置を有する携帯用拡大装置に関する。
【背景技術】
【０００２】
弱視の使用者のための携帯用拡大器の使用は、本技術分野において既知である。しかしながら、今日まで、その拡大器は、使用するには重く、嵩高く、扱いにくいものであった。さらに、その拡大器の多くは、１つの動作モード（観察されている物体よりも上方の固定された距離に使用者が装置を保持することを必要とするモード）しか有していない。
【０００３】
さらに、観察される物体上に置かれるように設計されている多くの拡大器では、典型的には、物体の頂部より上に空間がほとんど又は全く存在しない。これによって、使用者は、観察されている物体と相互作用することが妨げられる。例えば、その物体が文書の場合、使用者は、その文書の拡大中には、その文書に書き込むことができない。
【０００４】
したがって、複数の配置及び動作モードを有する拡大器（これによって、使用者が、物体より上に装置を保持したり、物体上に装置を置いたりすることによって拡大器を使用できる）が必要とされている。使用者が物体の拡大中に物体と相互作用できる拡大器のさらなる必要性が存在する。本技術分野では、装置の保管及び持ち運びのためにコンパクトな閉じた配向を有する携帯用拡大器の必要性がさらに存在する。本発明の複数姿勢に関する携帯用拡大カメラは、これらの必要性を満たすことに向けられている。
【図面の簡単な説明】
【０００５】
【図１】カメラ装置の前部の斜視図。
【図２】カメラ装置の後部の斜視図。
【図３】開いた配向のカメラ装置の側面図。
【図４】開いた配向のカメラ装置の斜視図。
【図５】開いた配向のカメラ装置の斜視図。
【図６】ハンドルが１８０°の位置に回転させられているカメラ装置を示す図。
【図７】ハンドルが１１０°の位置に回転させられているカメラ装置を示す図。
【図８Ａ】カメラ装置が閉じた配向である、ディスプレイハウジングの内部を示す図。
【図８Ｂ】カメラ装置が開いた配向である、ディスプレイハウジングの内部を示す図。
【図９Ａ】カメラ装置が閉じた配向である、ディスプレイハウジングの内部の断面図。
【図９Ｂ】カメラ装置が開いた配置である、ディスプレイハウジングの内部の部分断面図。
【図１０Ａ】カメラ装置が閉じた配置である、カメラ及び照明のアセンブリの詳細図。
【図１０Ｂ】カメラ装置が開いた配置である、カメラ及び照明のアセンブリの詳細図。
【図１１】ハンドルのヒンジアセンブリの分解図。
【図１２】ハンドルのヒンジアセンブリの断面図。
【発明を実施するための形態】
【０００６】
本カメラの１つの利点は、様々な距離にある様々なサイズの物体の観察が最適化される
ように、使用者が様々な観察モードのうちの１つにカメラを配置することが本カメラによって可能になることである。
【０００７】
本開示のカメラは、そのカメラが観察される物体より上に保持されることやハンドヘルドであることが可能であるという利点をさらに有する。
さらなる利点は、観察される物体上にカメラを配置でき、その際に使用者が物体と相互作用できるようにする間隙スペースをそのカメラが提供できることである。
【０００８】
さらなる利点は、カメラディスプレイの観察角度の調節が行われるとき、カメラの軸が画像面に垂直のままであるように自動的に調節されるカメラを提供することによって実現される。
【０００９】
さらなる利点は、装置の調節中に、観察されているイメージが直接光によって常に十分に明るくされるように自動的に旋回する照明を提供することによって実現される。
本発明の様々な実施形態は、これらの利点を全く有していなくてもよく、複数有していてもよく、すべて有していてもよい。本発明の他の技術的利点は当業者にとって容易に明らかになる。
【００１０】
ここで、本開示及びその利点のより完全な理解のため、添付の図面とともに以下の説明に対して参照を行う。
類似の参照符号は、いくつかの図面を通じて類似の部品を参照する。
【００１１】
【表１】
0006367798.tif 000002
本発明は、関連するディスプレイハウジングと、基部と、ハンドルとを有する携帯用拡大カメラに関する。そのカメラは、様々な配置を選択的に取ることが可能であり、その配置は、ディスプレイと基部とが向かい合った関係にある第１の閉じた配置と、ディスプレ
イが基部に対して角度を有する第２の開いた配置と、使用者が離れた物体に対してカメラを保持できるようにハンドルが外向きに旋回させられている第３のハンドヘルドの配置とを含む。カメラの視線（ｌｉｇｈｔ  ｏｆ  ｓｌｉｇｈｔ）が物体面に垂直であることを確実にするように、カメラの角度は、各配置について自動的に調節される。これらの配置は、ユーザが様々なサイズの物体や様々な距離にある物体を効率的に観察することを可能にする。
【００１２】
図１〜３に記載するように、拡大装置１０は、旋回可能に下側の基部３０に固定されている上側のディスプレイハウジング２０を備える。ディスプレイ２０とハウジング３０とは、ディスプレイ１０の後部のヒンジ３２２を介して相互接続されている。ハウジング２０は、その上側の表面上にＬＣＤ画面２１０及び関連する制御部２１２を備える。さらに、一対の旋回レバーアーム（２２８及び３１０）が、ディスプレイハウジング２０と基部３０との間に延びている。ディスプレイハウジング２０及び基部３０は、装置１０が閉じた、ディスプレイハウジング２０と基部３０とが向かい合った関係にある第１の配向を有する。装置１０を閉じた配向に保つために、磁気的な留具が使用されてもよい。装置１０が開いた、ディスプレイハウジング２０が基部３０に対してある角度に旋回させられている第２の配向が提供される。さらに、ハンドル４０が、旋回可能に基部３０に接続される。観察される物体からある距離に装置１０が保持されるように、ハンドル４０は、ハウジング２０に対して旋回させられることが可能である。ディスプレイハウジング２０、下側の基部３０、及びハンドル４０に関する詳細は、以下に提供されている。
【００１３】
ディスプレイハウジング２０
ディスプレイハウジング２０は、関連するカメラ２２０によって観察される物体を表示するための外側の画面２１０を備える。好適な実施形態では、画面２１０は、液晶ディスプレイ（ＬＣＤ）であるが、しかしながら、他の種類の画面が容易に利用され得る。画面２１０は、好適には、フルカラーのビデオ・グラフィックス・アレイ（ＶＧＡ）ディスプレイである。ＬＣＤ画面２１０に対する入力は、ディスプレイハウジング２０内に存在するフィールド・プログラマブル・ゲート・アレイ（“ＦＰＧＡ”）による。好適な実施形態では、小振幅差動信号方式（ＬＶＤＳ）が、ＦＰＧＡをＬＣＤ画面２１０に相互接続する際に利用される。これによって、画面２１０上にデジタル出力が完全に得られ、さらに、カメラ２２０が外部モニタ（図示せず）とともに使用されることが可能になる。カメラ２２０は、後の観察のために内部メモリ上に画像を保存できる。
【００１４】
制御キー２１２が、画面２１０の両側に配置され、画面２１０及び／又はカメラ２２０を操作するのに使用される。制御キー２１２は、電源ボタン、カメラを操作するためのカメラボタン、様々な拡大レベルを切り替えるためのズームボタン、及び対比色の様々な組み合わせを切り替えるためのモード制御部を含み得る。カメラ及び照明のハウジング２１４が、ディスプレイハウジング２０の一部を形成する。ハウジング２１４は、照明のための対向する開口部２１６を含む。カメラ及び照明のアセンブリ２１８（図１０Ａ及び図１０Ｂ参照）は、ハウジング２１４内に配置される。カメラ２２０は、照明のアセンブリ２１８に沿って中央に取り付けられている。カメラ２２０は、１つ以上のＣＭＯＳ（ｃｏｍｐｌｅｍｅｎｔａｒｙ  ｍｅｔａｌ−ｏｘｉｄｅ  ｓｅｍｉｃｏｎｄｕｃｔｏｒ）イメージセンサ又はＣＣＤ（ｃｈａｒｇｅ−ｃｏｕｐｌｅｄ  ｄｅｖｉｃｅ）イメージセンサを利用する従来のデジタルカメラであってよい。好適だが非限定的な例では、５メガピクセルのＣＭＯＳイメージセンサが使用される。イメージセンサの出力は、フィールド・プログラマブル・ゲート・アレイＦＰＧＡに、そしてイメージバッファに提供される。
【００１５】
カメラ２２０は、カメラスラグ２２２内に取り付けられている。カメラスラグ２２２は、好適には、アルミニウム又はアルミニウム合金から形成され、カメラ２２０に関連するイメージセンサから熱を吸収し散逸させるためのヒートシンクとして機能する。他の材料
も、その材料がイメージセンサ用の受動熱交換器として機能する限り容易に使用され得る。スラグ２２２の一部分は、好適には、熱の散逸による伝達とスラグ２２２の冷却とを可能にするように露出している。カメラスラグ２２２は、物体の観察のための中央カメラ開口部を含む。カメラ２２０及びカメラスラグ２２２の両方は、フレキシブル回路を介してアセンブリ２１８に取り付けられる。カメラ２２０は、アセンブリ２１８に対して動かないように固定されている。カメラ２２０及びスラグ２２２とともにアセンブリ２１８は、アセンブリ２１８の互いに反対側にある端部における対向する旋回点２２４の回りで旋回する。アセンブリ２１８のこの旋回の動きによって、カメラ２２０の角度配向が調節される。アセンブリ２１８の外側の延在部には照明２２６が含まれる。したがって、照明２２６は、アセンブリ２１８とともに旋回によって調節される。照明２２６は、好適には、発光ダイオード（ＬＥＤ）である。しかしながら、冷陰極蛍光ランプ（ＣＣＦＬ）等の他の光源も本発明とともに使用されてもよい。
【００１６】
ディスプレイハウジング２０が開いた配向及び閉じた配向間において旋回させられるとき、アセンブリ２１８は自動的に回転させられる。この自動的な回転は、図８Ａ，８Ｂ，９Ａ，９Ｂ，１０Ａ，１０Ｂに示すカメラ及び照明の配置機構によって達成される。ディスプレイハウジング２０は、上側及び下側のレバーアーム（２２８及び３１０）によって基部に対して旋回させられる。上側のレバーアーム２２８は、駆動軸２３２に取り付けられている先端を含む。レバーアーム２２８の基端は、旋回可能に下側のレバーアーム３１０に取り付けられている。ディスプレイハウジング２０が開いた配向及び閉じた配向間において旋回するとき、駆動軸２３２及びレバーアーム２２８は回転する。すなわち、レバーアーム２２８の基端（すなわち、駆動軸２３２の反対側の端部）は、ディスプレイハウジング２０が開けられている際、装置１０の後ろに向かって回転する。反対に、レバーアーム２２８の基端は、ディスプレイハウジング２０が閉じられているとき、装置１０の前に向かって回転する。図３の矢印“Ｃ”は、ハウジング２０が閉じられているときのレバーアーム（２２８及び３１０）の中間旋回点の動きを示している。
【００１７】
ねじりばね２３４が、駆動軸２３２の回りに配置され、ディスプレイハウジング２０を基部３０に対して開いた配向へと付勢する。さらに、ベルクランク２３６が駆動軸２３２上に取り付けられる。ねじりばね２３４の一端が、ベルクランク２３６に取り付けられている。対応するベルクランク２３８がアセンブリ２１８上に取り付けられている。Ｓリンク２４２が、互いに対向するベルクランク２３６，２３８の間に延びており、これらを接続している。より詳細には、Ｓリンク２４２は、互いに対向するベルクランク２３６，２３８内のアパチャ中に挿入される互いに対向する端部を有する。したがって、駆動軸２３２の回転の動きによって、アセンブリ２１８の対応する回転の動きが生じる。さらに、Ｓリンクは、アセンブリ２１８の動きを減衰させるためのばねとしての役割を果たす。アセンブリ２１８の角度範囲は、ディスプレイハウジング２０の内部の接触表面によって制限される。
【００１８】
上側のレバーアーム２２８が直立し、展開された配向に回転するとき（ディスプレイハウジング２０の旋回された配向に対応する）、駆動軸２３２及びベルクランク２３６は回転させられ、アセンブリ２１８の角度の動きに影響を与える。これによって、カメラ２２０及びカメラスラグ２２２は、ディスプレイハウジング２０に対して角度を有する。図８Ａ，９Ａ，１０Ａは、ディスプレイハウジングが閉じている機構を示している。図８Ｂ，９Ｂ，１０Ｂは、ディスプレイハウジングが開いている機構を示している。ディスプレイハウジング２０の開いている状態では、カメラ２２０の軸“Ａ”は、ハウジング２０の底部表面に対して角度を有する。この角度配向は、カメラの軸“Ａ”が画像面“Ｏ”に垂直に保たれるので、ディスプレイハウジング２０が旋回させられるときに好適である。さらに、アセンブリ２１８の回転によって、照明２２６がハウジング２０に対して旋回させられる。照明２２６に角度を持たせることは、物体が直接光によって照明されることを可能
にし、間接光に関連する影を防止するので好適である。このようにして、カメラ２２０によって、十分に明るくされ均等に照明されている物体が観察される。
【００１９】
上側のレバーアーム２２８が水平方向の折り畳まれた配向に回転するとき（ディスプレイハウジング２０の閉じた配向に対応する）、駆動軸２３２及びベルクランク２３６は回転し、アセンブリ２１８とともにベルクランク２３８の回転に影響を与える。これによって、カメラ２２０及びカメラスラグ２２２は、ディスプレイハウジング２０に対して角度を有していない。この配向を図８Ｂ，９Ｂ，１０Ｂに示している。すなわち、カメラ２２０の軸“Ａ”は、ハウジング２０の底部表面と、画像面“Ｏ”とに垂直である。このようにして、アセンブリ２１８の回転によって、照明２２６がハウジング２０の底部に垂直であるようにさらに配向される。このことも、観察される物体が直接光により適切に照明されることを保つので好適である。
【００２０】
最後に、アセンブリ２１８に関連するフレキシブル回路をハウジング２０内の関連するマザーボード（図示せず）に接続するために配線が使用される。ハンドル４０内のバッテリから関連するマザーボードまで線を通すための内部の配線レースウェイ２４４がさらに含まれる。
【００２１】
基部３０
基部３０は、一対の離間した足部３１２を備える。スペース３１４が足部３１２同士の間に設けられている。そのスペース３１４は、ディスプレイハウジング２０が閉じた配向（図２参照）のときにカメラ及び照明のハウジング２１４を受容するために使用される。このように、スペース３１４によって、カメラ２２０が配置されるためのスペースが提供される。ディスプレイハウジング２０が旋回させられている配向のとき、観察される物体はスペース３１４内に配置されることが可能である。各足部３１２は、光源２２６から光を導くための開口部を含む。各足部３１２の外側の延在部には、親指パドル３１８が含まれる。装置１０が閉じた配向では、使用者は、パドル３１８を親指に合わせることによって、２つの手で装置１０をつかみ、ディスプレイハウジング２０を開いた配向に旋回させることが可能である。さらに、ヒンジナックル３２０が基部３０上に含まれる。ヒンジナックル３２０は、基部３０と、旋回ハンドル４０との間の接続点としての役割を果たす。基部３０の後側には、基部３０を旋回可能にディスプレイハウジング２０に接続するためのヒンジ３２２がさらに含まれる。
【００２２】
ハンドル４０
ハンドル４０及び関連するヒンジ機構は、図１１及び図１２に関連して説明される。示すように、ハンドル４０は、相互接続している頂部及び底部の部分（４１０及び４１２）から形成される。頂部及び底部の部分（４１０及び４１２）は、内部バッテリパック４１４を収納する区画を形成する。バッテリパックからの配線は、ハンドル４０、そしてディスプレイハウジング２０内の配線レースウェイ２４４を通される。次いで、配線は、ハウジング２０の内部の周辺部の辺りに、そしてディスプレイハウジングのヒンジ３２２に沿って延びた後、ディスプレイハウジング２０内に配置されているマザーボード（図示せず）に結合される。ハンドル４０は、基部３０に対して旋回するように設計されている。基部３０に対して様々な角度位置にハンドル４０が固定されるように、デテントが含まれる。好適な実施形態では、デテントによって、ハンドル４０が０°、１１０°、及び１８０°に固定される。これらの角度位置は、ハンドル４０及び基部３０の長手方向の軸同士間で測定される。
【００２３】
ハンドル４０が利用するヒンジ機構を次に説明する。好適な実施形態では、ヒンジ４１６は、基部３０に圧入される。次いで、ブッシュデテント４１８は、ヒンジ４１６の上に配置される。ヒンジ４１６とブッシュデテント４１８とを収容するように、円形凹部が、
ハンドル４０の頂部の部分４１０に提供され得る。ブッシュデテント４１８を回転に対して固定するために、ブッシュデテント４１８は、キーによって基部３０に固定される。詳細には、ブッシュデテント４１８は、基部３０の対応するアパチャ４１８ｂ内に受容される突出部４１８ａを含む。さらに、ブッシュデテント４１８は、周辺の外側表面に一連のデテントアパチャ４２２を含む。デテントアパチャ４２２は、０°、１１０°、及び１８０°の位置にハンドル４０を適切に配置することを確実にするように配置される。他の角度位置が好適な場合、デテントアパチャの離間は調節され得る。
【００２４】
リングスプリング４２４が、ヒンジ４１６とブッシュデテント４１８との間に配置される。リングスプリング４２４は、ブッシュデテント４１８の内部表面に対してばね力を及ぼす。リングスプリング４２４の目的は、ブッシュデテント４１８の外側の滑動表面上に作用する回転による摩擦力を増大させることである。ブッシュデテント４１８は、頂部ブッシュ４２６、内部ワッシャ４２８、及び１つ以上の保持リング４３２によって保持される。ワッシャ４２８及び保持リング４３２は、クリープを抑制し、公差のばらつきを吸収するように作用する。ワッシャ４２８は、ベルビル型のワッシャの場合がある。保持リング４３２のうちの１つ以上は、Ｅ型保持リングの場合がある。図１１に示すように、プランジャ４３４は、ハンドル４０の上側部分４１０内に滑動可能に配置され、ブッシュデテント４１８の外側の周辺表面に係合するように構成されている。プランジャスプリング４３６が、プランジャ４３４に係合し、ブッシュデテント４１８の外側の周辺表面に接触させるようにプランジャ４３４を付勢する。これによって、プランジャ４３４は、ブッシュデテント４１８のデテントアパチャ４２２のうちの１つに係合できるようになる。十分な力をハンドル４０に加えることによって、スプリング４３６の力に打ち勝つことができ、プランジャ４３４を解放し、ハンドル４０の角度の動きが可能になる。他の内部構成要素との干渉を抑制するために、保持具４３８がプランジャ４３４の上に固定されてもよい。ハンドル４０を動かすために、親指把持部４４２が、ハンドル４０の先端にさらに含まれてもよい。
【００２５】
このように、装置１０は複数の別々の配置を有している。第１の配置では、ディスプレイハウジング２０は閉じている。この配向では、ハウジング２０と基部３０とが向かい合った関係にあり、上側及び下側のレバーアーム（２２８及び３１０）が旋回させられて閉じている。この配向では、レバーアーム（２２８及び３１０）を相互接続する旋回点は、装置１０の前部に回転させられている。ディスプレイハウジング２０が閉じている状態では、カメラ２２０は開口部３１４内に配置されている。さらに、カメラ及び照明の配置機構によって、カメラ２２０及び照明２２６がハウジング２０に垂直であり画像面の直上に存在することが確実になる。この配置によって、カメラ２２０を操作し画面２１０を観察するために、使用者が装置１０を保持し制御部２１２を手で扱うことが可能になる。源２２６からの光は、近接する物体を直接的に照明するために、ライトガイド２１６及び３１４を通じてもたらされる。
【００２６】
第２の開いた配置では、ディスプレイハウジング２０は基部３０に対して旋回させられている。この配置では、上側及び下側のレバーアーム（２２８及び３１０）は、ほぼ直立した配向に旋回させられている。上側のレバーアーム２２８の旋回によって、カメラ配置機構が自動的にカメラ２２０及び照明２２６の角度配向を調節する。すなわち、ハウジング２０の角度配向が考慮されて、カメラ２２０及び照明２２６は、ハウジング２０の下側表面に対して角度を有する。カメラ２２０及び照明２２６の軸“Ａ”は、画像面“Ｏ”に垂直のままである。観察される物体は、基部３０の対向する足部３１２同士の間に設けられているスペース３１４内に置かれることが可能である。好適な実施形態では、開いた配向では、ディスプレイハウジング２０と基部３０との間には約３８．５°の角度が存在する。この角度によって、使用者は、画面２１０上の物体を観察することや制御部２１２に到達することを容易に行い得る。
【００２７】
上述した開いた配向及び閉じた配向の両方において、ハンドル４０は、好適には、０°の配向に固定される。すなわち、ハンドル４０は、基部３０の後部内の凹部領域内に配置される。これによって、ハンドル４０と基部３０とが協働して、装置１０に関し平坦な下部表面を形成できる。なおもさらに別の配置では、ハンドル４０は、ディスプレイハウジング２０及び基部３０に対し外向きに旋回させられ得る。すなわち、ディスプレイハウジング２０の閉じた配向では、ハンドル４０は、１１０°及び１８０°の配向のいずれかに旋回させられ得る。これらの配置によって、使用者がハンドル４０によって装置１０を直立して保持することが可能になる。次いで、装置１０内のカメラ２２０は、離れた物体に向けられ得る。カメラ制御キー２１２は、この配置では使用者には容易に到達可能である。必要ではない場合、ハンドル４０は、本体基部３０の下の位置にもとへと旋回させられ得る（すなわち、０°の配向）。
【００２８】
本開示は、特定の実施形態及び一般に関連する方法の観点により説明されてきたが、その実施形態及び方法の改変及び変更は当業者にとって明らかである。したがって、例示的な実施形態の上記の説明は、本開示を限定又は制限しない。他の変形、代用、及び改変も、本開示の趣旨及び範囲を逸脱せずに可能である。
【図１】
0006367798.tif 000003
【図２】
0006367798.tif 000004
【図３】
0006367798.tif 000005
【図４】
0006367798.tif 000006
【図５】
0006367798.tif 000007
【図６】
0006367798.tif 000008
【図７】
0006367798.tif 000009
【図８Ａ】
0006367798.tif 000010
【図８Ｂ】
0006367798.tif 000011
【図９Ａ】
0006367798.tif 000012
【図９Ｂ】
0006367798.tif 000013
【図１０Ａ】
0006367798.tif 000014
【図１０Ｂ】
0006367798.tif 000015
【図１１】
0006367798.tif 000016
【図１２】
0006367798.tif 000017